(57)【特許請求の範囲】
【請求項１】
記録再生可能なディスクを使用したディスク型記録再生装置において、
ディスクを初期化するフォーマット手段と、ディスクの繰返し記録回数を記録する記録回数記録手段と、前記繰返し記録回数やエラーの表示を行う表示手段と、ディスクの繰返し記録中に記録回数が予め設定された第１の所定回数Ｎを超えたときには前記表示手段によりエラー表示を行い、前記フォーマット手段により既に使用済みのディスクを初期化する際に、ディスク上に記録されている前記記録回数が予め設定された第２の所定回数Ｍ（ＭはＭ≦Ｎの整数）以下のときにはディスク上に記録されている前記記録回数情報を初期化せずに残しておき、前記第２の所定回数Ｍを超えているときには前記表示手段によりエラー表示を行う制御手段とを備えたことを特徴とするディスク型記録再生装置。
【請求項２】
前記制御手段は前記エラー表示を行う際に同時に記録禁止もしくはフォーマット禁止を行うことを特徴とする請求項１に記載のディスク型記録再生装置。
【請求項３】
前記ディスクの初期化を実行する際に、ディスク上に既に記録されている記録回数を履歴として別領域に記録しておくようにしたことを特徴とする請求項１または２に記載のディスク型記録再生装置。
【請求項４】
ディスクを繰り返し記録可能とするリライタブルディスクとして使用するリライタブルディスクモードか、ディスクを擬似的に１度しか記録できない擬似ライトワンスディスクとして使用する擬似ライトワンディスクモードかを選択するディスクモード選択手段と、フォーマットの際に前記ディスクモードをディスク上に記録するディスクモード記録手段とをさらに備え、使用済みのディスクを初期化する際に前記記録回数情報を残すかエラー表示を行うかが前記リライタブルディスクモードに対しては前記第２の所定回数Ｍにより判定され、前記擬似ライトワンディスクモードに対しては前記第２の所定回数Ｍに代わる第３の所定回数Ｍ１（Ｍ１はＭ≦Ｍ１≦Ｎの整数）により判定されるようにしたことを特徴とする請求項１から３のいずれか一に記載のディスク型記録再生装置。
【発明の詳細な説明】
【０００１】
【発明の属する技術分野】
本発明は、記録再生可能なディスクを使用して画像などを記録および再生するディスク型記録再生装置に関する。
【０００２】
【従来の技術】
近年、映像記録メディアとして使用されていたテープに代わって、書き込み可能なディスクを使用して映像信号を記録および再生するディスク型記録再生装置が市場に登場し始めている。係るディスク型記録再生装置で使用されるディスクとしては、ハードディスクのほか、ＭＯ（光磁気ディスク）やＤＶＤ（ディジタル・ビデオ・ディスク）などの光ディスクが挙げられる。
【０００３】
一般に、ディスクの特徴として、まず第１に挙げられるのは高速アクセス性である。すなわち、ディスクはテープのように巻き戻しが不要であり、ディスク上のヘッドを移動させるだけでどの領域でも素早くアクセスできる特徴を有している。ディスクが有しているこの特徴は、検索性の面でも大きなメリットとなる。
【０００４】
ディスクのいま一つの特徴は、ディスク媒体がテープ媒体に比べて繰返し記録に非常に強いことである。ビデオテープレコーダに使用されるテープ媒体では、ビデオテープに繰り返して記録することができる繰返し記録回数は高々、数十回から数百回程度であるのに対し、ディスク媒体では数十万回から数百万回の繰返し記録が可能となっている。この理由としては、記録ヘッドとディスクとが非接触であることや、デジタル記録であるディスクはエラー訂正能力が高いので劣化が抑えられることなどが挙げられる。
【０００５】
このようにディスクは繰返し記録に強いという特徴を有していることから、ディスク型記録再生装置はタイムラプス装置としても使用され始めている。タイムラプス装置は、銀行や郵便局、コンビニエンスストアなどでのセキュリティ用、駅構内や交差点などでの人や車の動向監視用、学術研究用などに使用されているが、なかでも特に需要が多いのがセキュリティ分野である。
【０００６】
セキュリティ分野でタイムラプス装置として使用されるディスク型記録再生装置は、テープ型と同様に映像の間欠記録を行いながらディスクにエンドレスに繰返し記録を行う使用方法が普通である。ここでの繰返し記録とは、ディスクの先頭から終わりまでを何度も記録することをいい、先頭から終わりまで（換言すればディスク全面）記録すると、繰り返し記録１回ということになる。
【０００７】
ところでディスクは、一般に初めて使用する際に媒体のフォーマット（初期化）処理を行わなければ使用することができない。フォーマットによりディスク上のデータは初期化される。そのため、使用途中でもフォーマットを行うことによりディスクを初期化して、新品同様に何も記録されていない状態に戻すことができる。
【０００８】
【発明が解決しようとする課題】
しかしながら、前記従来のディスク型記録再生装置では次のような問題があった。例えば、従来のディスク型記録再生装置を使用したタイムラプス装置では、ディスクは長期間にわたり、何度も繰り返し記録される。そして、ディスクは、前記したように、テープに比べて繰返し記録に強く、さらにデジタル記録のためアナログ記録のテープのように徐々に画質が劣化していくものではないので、長期間にわたってメディアを交換することなく使用できる。
【０００９】
このように、ディスクは長期間にわたり交換せずに使用することができるが、デジタル記録は、ディスクの繰返し記録回数の限界を超えるとエラーが急速に増加し、突然、記録できなくなるという現象が発生する。しかし、ディスクにおいては、テープのように画質の劣化具合を見て媒体の交換時期を判断するのが難しく、いつディスクが使えなくなるか判断するのが困難であるという問題があった。
【００１０】
本発明の目的は、記録回数の管理を行って使用者がディスクの劣化が近づいていることを確実に知ることができるようにしたディスク型記録再生装置を提供することにある。
【００１１】
本発明のいま一つの目的は、ディスクの劣化により新たに記録される情報が読み出せなくなるのを防止するようにしたディスク型記録再生装置を提供することにある。
【００１２】
本発明のさらにいま一つの目的は、フォーマット時点までの記録回数を確認することができるようにしたディスク型記録再生装置を提供することにある。
【００１３】
本発明のさらにいま一つの目的は、ディスクを繰り返し記録可能とするリライタブルディスクとして使用するか、ディスクを擬似的に１度しか記録できない擬似ライトワンスディスクとして使用するかに応じて、より細かな記録回数の管理を行えるようにしたディスク型記録再生装置を提供することにある。
【００１４】
【課題を解決するための手段および作用】
前記目的を達成するため、請求項１に係る発明は、
記録再生可能なディスクを使用したディスク型記録再生装置において、
ディスクを初期化するフォーマット手段と、ディスクの繰返し記録回数を記録する記録回数記録手段と、前記繰返し記録回数やエラーの表示を行う表示手段と、ディスクの繰返し記録中に記録回数が予め設定された第１の所定回数Ｎを超えたときには前記表示手段によりエラー表示を行い、前記フォーマット手段により既に使用済みのディスクを初期化する際に、ディスク上に記録されている前記記録回数が予め設定された第２の所定回数Ｍ（ＭはＭ≦Ｎの整数）以下のときにはディスク上に記録されている前記記録回数情報を初期化せずに残しておき、前記第２の所定回数Ｍを超えているときには前記表示手段によりエラー表示を行う制御手段とを備えたことを特徴とする。
【００１５】
すなわち、請求項１に係る発明では、ディスクの繰り返し記録回数をディスクに記録し、ディスクが何回繰り返し記録されたかを管理するとともに、記録回数が第１の所定回数Ｎを超えたときにはエラー表示を行う。さらに、ディスクは初期化されるとデータが消えてしまうので、その際にも繰り返し記録回数が消去されないようにし、初期化の際には記録回数が予め定められた第２の所定回数Ｍを超えたディスクはエラー表示を行なう。これにより、通常の記録時はもちろんのこと、フォーマット処理が行われたときにも、繰返し記録回数を確実に管理し、ディスクの劣化状態を正確に判断し、使用者に知らせることができるようになる。
【００１６】
また、請求項２に係る発明は、請求項１に記載のディスク型記録再生装置において、前記制御手段は前記エラー表示を行う際に同時に記録禁止もしくはフォーマット禁止を行うことを特徴とする。
【００１７】
請求項２に係る発明では、ディスクの記録回数が第１の所定回数Ｎを超えたり、ディスクの初期化の際に記録回数が予め定められた第２の所定回数Ｍを超えたりしたときにはエラー表示が行われるとともに、ディスクは記録禁止もしくはフォーマット禁止とされる。これにより、使用者はディスクの劣化が近づいていることを知るとともに、新たに記録される情報が読み出せなくなるのが防止される。
【００１８】
さらに、請求項３に係る発明は、請求項１または２に記載のディスク型記録再生装置において、前記ディスクの初期化を実行する際に、ディスク上に既に記録されている記録回数を履歴として別領域に記録しておくようにしたことを特徴とする。
【００１９】
請求項３に係る発明では、履歴として別領域に記録された前記記録回数により、フォーマット時点までの記録回数を確認することができる。
【００２０】
さらにまた、請求項４に係る発明は、請求項１から３のいずれか一に記載のディスク型記録再生装置において、ディスクを繰り返し記録可能とするリライタブルディスクとして使用するリライタブルディスクモードか、ディスクを擬似的に１度しか記録できない擬似ライトワンスディスクとして使用する擬似ライトワンディスクモードかを選択するディスクモード選択手段と、フォーマットの際に前記ディスクモードをディスク上に記録するディスクモード記録手段とをさらに備え、使用済みのディスクを初期化する際に前記記録回数情報を残すかエラー表示を行うかが前記リライタブルディスクモードに対しては前記第２の所定回数Ｍにより判定され、前記擬似ライトワンディスクモードに対しては前記第２の所定回数Ｍに代わる第３の所定回数Ｍ１（Ｍ１はＭ≦Ｍ１≦Ｎの整数）により判定されるようにしたことを特徴とする。
【００２１】
請求項４に係る発明では、ディスクを繰り返し記録可能とするリライタブルディスクとして使用するか擬似的に１度しか記録できない擬似ライトワンスディスクとして使用するかを設定できるようにし、擬似ライトワンディスクモードではリライタブルディスクモードに対して設定された第２の所定回数のＭに代わる第３の所定回数Ｍ１を持つようにしている。これにより、２つのディスクモードを持つディスク型記録再生装置においても、リライタブルディスクと擬似ライトワンスディスクとで細かい記録回数管理が可能になる。
【００２２】
【発明の実施の形態】
以下に、図面を参照して本発明に係るディスク型記録再生装置の実施の形態を説明する。
【００２３】
実施の形態１．
本発明に係るディスク型記録再生装置の一つの実施の形態の構成を図１に示す。該ディスク型記録再生装置は、リムーバブルディスクである光ディスク１０、該光ディスク１０の回転やヘッド１２を制御するサーボ回路１１、光ディスク１０に情報を書き込んだり読み出したりするヘッド１２、フォーマット手段１３ａを含む信号処理回路１３、メモリ１４、制御手段としてのマイコン１５、繰返し記録回数やエラー等の情報を表示する表示器１６、フォーマット実行指示やディスクモード選択を行うためのキーなどの入力器１７を備えている。
【００２４】
前記光ディスク１０は、初めて使用する場合にはフォーマット手段１３ａを含む信号処理回路１３を用いてフォーマットが行われる。光ディスク１０は、このフォーマット処理が行われると、以降、使用可能になる。このフォーマット処理の後に、光ディスク１０には、記録回数が０として記録される。
【００２５】
前記信号処理回路１３は、光ディスク１０を繰り返し記録すると、記録が行われる度に光ディスク１０に記録されている記録回数に１を加算し、前に記録されていた記録回数を加算後の値を新たな記録回数に更新する。例えば、光ディスク１０を最初から最後まで記録すると前の記録回数に１を加算する。このようにして光ディスク１０の全面を１回記録する度に、前の記録回数に１を加えて記録する。
【００２６】
マイコン１５は第１の所定回数Ｎを持っている。該第１の所定回数Ｎは光ディスク１０にそれ以上繰り返して記録が行われるとディスク劣化により、以降の繰り返し記録で記録が正常に行われない可能性がある記録回数として設定している。いま、前記第１の所定回数Ｎを仮に１万回とすると、繰り返して記録を行っているうちに記録回数が１万回を超えたときには、前記マイコン１５は光ディスク１０のディスク劣化を示すエラー表示を表示器１６に対して行わせる。なお、該エラー表示後も記録を続けさせることも可能であるが、前記マイコン１５により記録動作を禁止してしまうこともできる。
【００２７】
一方、使用中の前記光ディスク１０を初期化し、それまでの記録データを消去したり、前記光ディスク１０を新品として使用するときには、マイコン１５は光ディスク１０が使用済みかどうかを調べる。これは、ディスクにＩＤのようなデータを書き込んでおき、それを信号処理回路１３から読み出すことにより行う。
【００２８】
前記マイコン１５には第２の所定回数Ｍが設定されており、初期化の際には、前記光ディスク１０が使用済みである場合には、マイコン１５は光ディスク１０の記録回数と前記第２の所定回数Ｍとを比較する。
【００２９】
一般に、光ディスクは初期化してしまうと新品同様になるので、通常は使用者は光ディスクが使用済みか本当に新品か判断ができなくなってしまう。そのため、使用済みの光ディスクの場合は繰り返し記録回数が残り少ないことを表示するのが好ましいが、例えばそれを前記第１の所定回数Ｎと比較して判断すると使い勝手がよくない。例えば、９９９９回繰り返し記録したディスクは、繰返し記録回数が前記第１の所定回数Ｎより小さいのでエラー表示も出さずにフォーマットしてしまうと、実際には初期化後、あと１回しか記録できないことになる。それよりも例えばＭをＮより小さい９０００回としてこれと比較することにより、９０００回を超えたディスクでは初期化しようとしたときに、残り記録回数が少ないことを示すまずエラー表示を行って使用者に注意を促し、さらに初期化後に記録を繰り返し行い、記録回数が１万回を超えた時点でさらにエラー表示を行った方がよい。そのため、前記第２の所定回数Ｍを、既に述べたように、第１の所定回数Ｎ以下の整数と設定する。
【００３０】
マイコン１５は、使用済み光ディスク１０の記録回数が第２の所定回数Ｍ回より多い場合には表示器１６により、記録回数が残り少ない旨表示を行う。その時点でフォーマット処理を禁止することも可能である。前記第２の所定回数Ｍより少ないときには、以下の手順でフォーマット処理を行う。マイコン１５は、光ディスク１０から記録回数データを信号処理回路１３を通じて読み取り、メモリ１４に書き込む。その後、前記信号処理回路１３のフォーマット手段１３ａを用いて光ディスク１０を初期化する。これにより、光ディスク１０のデータは初期化される光ディスク１０は新品の状態になるが、その後前記マイコン１５はメモリ１４から記録回数を読み出し、信号処理回路１３を通じて記録回数を光ディスク１０に書き戻す。この際、フォーマット時の記録回数を光ディスク１０の別領域に履歴として残しておくと、後にフォーマット時までに何回記録したかを知ることができ都合がよい。
【００３１】
図２に前記マイコン１５により実行される処理のフローチャートを示す。前記マイコン１５は、入力器１７によりフォーマットを指示されているかを確認する（ステップＳ１）。フォーマットを実行する場合（ステップＳ１のＹ側）、光ディスク１０が記録済みディスクかどうかを判断する（ステップＳ２）。記録済みディスクでない場合（ステップＳ２のＮ側）には、ディスクは新品であるので信号処理回路１３のフォーマット手段１３ａによりフォーマットを実行（ステップＳ３）した後、記録回数を０としてディスクに記録回数を記録する（ステップＳ４）。
【００３２】
フォーマットをしない場合（ステップＳ１のＮ側）は、記録中かどうかをチェック（ステップＳ５）し、記録中であれば（ステップＳ５のＹ側）光ディスク１０に対し繰返し記録が行われたかどうかをチェックする（ステップＳ６）。繰返し記録が行われた場合（ステップＳ６のＹ側）は、光ディスク１０に記録してある記録回数を１増やすインクリメント処理を行う（ステップＳ７）。その際、記録回数がマイコン１５が持つ第１の所定回数Ｎ回より小さい場合は何もしない（ステップＳ８のＹ側）が、Ｎ以上になった場合には表示器１６によりエラー表示を行う（ステップＳ９）。
【００３３】
記録を行った光ディスク１０は使用済みディスクとなるので、以降フォーマットを行うときには記録済みディスクに対するフォーマット処理を行う（ステップＳ２のＹ側）。フォーマットの際は、まず記録回数と第２の所定回数Ｍを比較し、Ｍ以上のとき（ステップＳ１０のＮ側）は表示器１６によりエラー表示を行う（ステップＳ１１）。Ｍより小さいときは（ステップＳ１０のＹ側）、まずメモリ１４に信号処理回路１３を通じて記録回数を読み出し待避する（ステップＳ１２）。続いて信号処理回路１３のフォーマット手段によりディスクをフォーマットする（ステップＳ１３）。フォーマット後に、メモリ１４の記録回数を光ディスク１０に書き込む（ステップＳ１４）。
【００３４】
実施の形態２．
次に、繰返し記録可能なディスクを、そのまま繰り返し記録可能であるリライタブルディスクとして使用するか、または擬似的に１度しか記録できない擬似ライトワンスディスクとして使用するかを選択するようにした実施の形態２について説明する。
【００３５】
繰り返し記録可能なディスクを擬似的に一回しか記録できなくすることは、データ保持上さまざまな用途がある。ただし、この場合でもフォーマット処理によるデータの全面消去は認めるものとする。
【００３６】
本実施形態では、図１の構成を有するディスク型記録再生装置において、入力器１７により、フォーマット時にリライタブルディスクかライトワンスディスクかというディスクモードを選択できるようにしている。そして、選択したディスクモードデータを、光ディスク１０上に信号処理回路１３により記録するようにしている。
【００３７】
本実施形態においても、光ディスク１０をリライタブルディスクとして使用する場合には、第１実施形態と同様に光ディスク１０上の記録回数を第２の所定回数Ｍと比較する。しかし、光ディスク１０を擬似ライトワンスディスクとして使用する場合には、フォーマット後にあと一回記録できればいいので、第２の所定回数Ｍよりも大きな数字である第３の所定回数値Ｍ１を持つことが望ましい。その場合の第３の所定回数Ｍ１は、Ｍ≦Ｍ１≦Ｎとなる。マイコン１５にはさらに、この第３の所定回数Ｍ１が設定されている。
【００３８】
第２の実施形態におけるマイコン１５の処理フローチャートを図３に示す。この処理フローチャートでは、ステップＳ１５およびステップＳ１６を除いて、既に説明した第１実施形態で説明した前記図２の処理フローチャートと同じであるから、前記ステップＳ１５およびステップＳ１６とそれに関連する処理について説明する。ステップＳ２において記録済みの光ディスク１０をフォーマットするときに、それがリライタブルディスクかどうかを判断する（ステップＳ１５）。リライタブルディスクである場合（ステップＳ１５のＹ側）、図２と同様の処理が行われる。一方、擬似ライトワンスディスクの場合（ステップＳ１５のＮ側）は、記録回数と第３の所定回数Ｍ１（Ｍ≦Ｍ１≦Ｎ）を比較し（ステップＳ１６）、記録回数が第３の所定回数Ｍ１以上の場合（ステップＳ１６のＮ側）、マイコン１５は表示器１６によりエラー表示を行う（ステップＳ１１）。記録回数が第３の所定回数Ｍ１より小さい場合は（ステップＳ１６のＹ側）、図２と同様にフォーマット処理を行う。
【００３９】
本実施の形態のディスク型記録再生装置では、第１ないし第３の所定回数Ｎ、Ｍ、Ｍ１はマイコン１５に内蔵しているとしたが、入力器１７から使用者が入力するようにしてもよい。また、光ディスク１０に記録した記録回数を入力器１７からの指示に従い、いつでも表示器１６に呼び出せる構成としてもよい。
【００４０】
【発明の効果】
以上のように本発明によれば、通常の記録時はもちろんのこと、フォーマット処理が行われたときにおいても繰返し記録回数が確実に管理され、ディスクの劣化状態を正確に使用者に伝えることができるので、使用者はディスクの交換の時期を確実に知り、ディスク劣化によるトラブルの発生を未然に防止することができる。
【００４１】
また、本発明によれば、エラー表示を行う際に同時に記録禁止やフォーマット禁止を行うようにすることにより、書き込まれるデータがディスク劣化によって読み出すことができなくなる等のトラブルの発生をなくすことができる。
【００４２】
さらに、フォーマット手段によりディスクの初期化を実行する際に、ディスク上に既に記録されている記録回数を履歴として別領域に記録しておくことにより、フォーマット時点までの記録回数を確認することができる。
【００４３】
さらにまた、ディスクを繰り返し記録可能とするリライタブルディスクとして使用するか擬似的に１度しか記録できない擬似ライトワンスディスクとして使用するかを設定できるディスク型記録再生装置においても、リライタブルディスクと擬似ライトワンスディスクとでさらに細かく記録回数管理を行うことができるという有利な効果が得られる。
【図面の簡単な説明】
【図１】  本発明に係るディスク型記録再生装置の一つの実施の形態の構成を示すブロック図である。
【図２】  本発明の第１の実施形態におけるマイコンの処理フローである。
【図３】  本発明の第２の実施形態におけるマイコンの処理フローである。
【符号の説明】
１０  光ディスク
１１  サーボ回路
１２  ヘッド
１３  フォーマット手段を含む信号処理回路
１３ａ  フォーマット手段
１４  メモリ
１５  マイコン
１６  表示器
１７  入力器
【図１】
0003771731.tif 000002
【図２】
0003771731.tif 000003
【図３】
0003771731.tif 000004